(57)【要約】【課題】より小型の，磁気記録媒体である磁気記録媒体に対するマスター情報パターンの磁気転写の効率化を可能とする磁気パターン複製方法及び，磁気パターン複製装置を提供する。【解決手段】磁気記録可能なディスク状の磁気記録媒体に，情報に対応する磁気パターンが形成されたマスター情報担体を接近させ，前記磁気パターンを前記磁気記録媒体に複製する磁気パターン複製方法において，マスター情報担体の一面側に，前記マスター情報担体の径より小径のディスク状の磁気記録媒体に記録すべき情報に対応する磁気パターンを複数個形成し，前記マスター情報担体の一面側に形成された複数個の磁気パターンのそれぞれに前記磁気記録媒体を密着載置し，前記複数の磁気パターンに対応してそれぞれに直流磁界を印加して，前記マスター情報担体に形成された複数の磁気パターンを，それぞれ前記磁気パターンに対応して密着載置された前記ディスク状磁気記録媒体に転写する。【選択図】  図７
2007250106.tif 000002
【特許請求の範囲】
【請求項１】
磁気記録可能なディスク状の磁気記録媒体に，情報に対応する磁気パターンが形成されたマスター情報担体を接近させ，前記磁気パターンを前記磁気記録媒体に複製する工程を有してなる磁気ディスクの製造方法において，
前記マスター情報担体の一面側に形成された、該マスター情報担体より小径の複数のディスク状磁気記録媒体に対応する複数個の磁気パターンのそれぞれに前記磁気記録媒体を密着載置し，
前記複数の磁気パターンに対応してそれぞれに直流磁界を印加して，前記マスター情報担体に形成された複数の磁気パターンを，それぞれ前記磁気パターンに対応して密着載置された前記ディスク状磁気記録媒体に転写する，
ことを特徴とする磁気ディスクの製造方法。
【請求項２】
請求項１において，
前記マスター情報担体に形成された複数個の磁気パターンのそれぞれに前記磁気記録媒体を密着載置する際に，
前記複数個の磁気パターンが形成されたマスター情報担体を第１のマスター情報担体とし，
一つ分の磁気記録媒体に対応する磁気パターンを有する第２のマスター情報担体を前記第１のマスター情報担体に密着載置された磁気記録媒体の前記第１のマスター情報担体と反対側から密着させて，直流磁界を印加して，前記磁気記録媒体の両面に前記磁気パターンを転写する，
ことを特徴とする磁気ディスクの製造方法。
【請求項３】
情報を磁気記録可能なディスク状の磁気記録媒体に，情報に対応する磁気パターンが形成されたマスター情報担体を接近させ，前記磁気パターンを前記磁気記録媒体に複製する工程を有してなる磁気ディスクの製造方法において，
前記第１及び第２のマスター情報担体に形成された、該マスター情報担体より小径の複数のディスク状磁気記録媒体に対応する複数の磁気パターンのそれぞれに対応して複数の磁気記録媒体を位置づけた状態で，前記第１及び第２のマスター情報担体により前記複数の磁気記録媒体をサンドイッチ状に密着載置し，更に
前記第１及び第２のマスター情報担体の他面側から直流磁界を印加して前記第１及び第２のマスター情報担体に形成された複数の磁気パターンを前記複数の磁気記録媒体のそれぞれの両面に転写する，
ことを特徴とする磁気ディスクの製造方法。
【請求項４】
磁気記録可能なディスク状の磁気記録媒体に，情報に対応する磁気パターンが形成されたマスター情報担体を接近させ，前記磁気パターンを前記磁気記録媒体に複製する磁気パターン複製装置であって，
磁気記録媒体に記録されるべき情報に対応する磁気パターンが，一面側に所定角度間隔で複数個形成された，前記磁気記録媒体の径より大きい径を有するマスター情報担体と，
前記マスター情報担体に，前記一面側に複数個形成されたそれぞれの磁気パターンに対して直流磁界を付与する磁界発生部と，
前記マスター情報担体に形成された前記情報に対応する，複数の磁気パターンのそれぞれに前記磁気記録媒体を密着載置する機構とを有し，
それぞれに直流磁界を印加して前記主マスター基板上に形成された複数のマスター情報パターンを対応して密着載置された磁気記録媒体に転写する，
ことを特徴とする磁気パターン複製装置。
【請求項５】
請求項４において，
前記複数の磁気パターンのそれぞれに前記磁気記録媒体を密着載置する機構として，
前記複数個の磁気パターンが形成されたマスター情報担体を第１のマスター情報担体とし，一つ分の磁気記録媒体に対応する磁気パターンを有する第２のマスター情報担体と，前記直流磁界を付与する磁界発生部を備えたヘッド部と
前記ヘッド部を移動制御する制御部を有し，
前記制御部により，前記磁気記録媒体を前記第２のマスター情報担体に対応づけて保持して前記第１のマスター情報担体の磁気パターン位置に移動制御する
ことを特徴とする磁気パターン複製装置。
【発明の詳細な説明】
【技術分野】
【０００１】
本発明は，情報に対応したパターン状の磁性層が形成されたマスター情報担体を用いて磁気記録媒体に前記情報を磁気転写する磁気パターン複製方法及び，この方法を適用する磁気パターン複製装置に関する。
【背景技術】
【０００２】
小型且つ，大容量の磁気記録媒体装置は，大容量化のため年々記録密度が上昇し，このため，ヘッドを位置決めするためのサーボ情報を専用の装置を用いて機械的な精度で磁気記録媒体に作成することが困難になってきている。また，製造コストを押さえるため，容易に高精度の位置決め情報を作成する方法が必要である。
【０００３】
図１は，磁気記録媒体装置における一枚の磁気記録媒体の平面を模式的に示す図である。
【０００４】
磁気記録媒体としての磁気記録媒体１には，円周上の所定角度毎にヘッド位置決めに使用するサーボ情報である，マスター情報パターン２が記録されている。マスター情報パターン２は，一例として図２に図１の○で囲んだ部分を拡大して示すように，クロック信号Ｉ，トラッキング用サーボ信号II及び，アドレス情報信号IIIを有し，両側にデータ領域IVが位置づけられる。なお，図２は，磁気記録媒体１の径方向に１０トラック分のみを示している。
【０００５】
かかるマスター情報パターン２を磁気記録媒体１に形成する方法として，マスター情報担体を用いて，磁気記録媒体にマスター情報パターン２に対応する磁気パターンを転写する方法が知られている（例えば，特許文献１，特許文献２）。
【０００６】
特許文献１，特許文献２に記載された磁気記録媒体に磁気パターンを複製する従来の方法を図３及び図４を用いて説明すると次のようである。
【０００７】
図３は，上記特許文献１，２に開示される従来の磁気パターンを複製する方法を用いる磁気パターン複製装置の概念斜視図である。図４は，図３におけるＡ−Ａ‘線に沿う断面概念図である。
【０００８】
一様に初期磁化（図４：点線矢印）された磁気記録媒体１に対し，マスター情報パターン２に対応して磁性体部分がパターンニングされたマスター情報担体１０が密着される。転写効率を高めるために，外部よりマグネット１１等により直流励磁磁界ＡＭＤを与える。
【０００９】
そして，直流励磁磁界ＡＭＤをマスター情報担体１０の全周に渉って付与することが必要であるので，図３に示すようにマスター情報担体１０とマグネット１１間が相対的に回転移動される。
【特許文献１】特開平１０−４０５４４号公報
【特許文献２】特開２００３−２７２１４３号公報
【発明の開示】
【発明が解決しようとする課題】
【００１０】
ここで，情報記録再生装置としてのハードディスク装置の小型化の更なる要求に伴い，ハードディスク装置を構成する磁気記録媒体である磁気記録媒体は，年々，高密度化，小径化されてきているため，これにより１インチ径等の小径ディスクに適した磁気パターン複製方法および装置が必要となってきている。
【００１１】
これに対し，上記特許文献１，２に示される従来技術では，磁気記録媒体毎に磁気転写を行うものである。特に図３，図４に示す例では，磁気記録媒体両面を記録面とするためには，磁気記録媒体の両面に大きな励磁用マグネットを配置し，且つこれを円周方向ＲＤに回転する機構が必要となる。
【００１２】
これにより，磁気パターン複製装置において，磁気記録媒体の励磁用マグネット間への配置並びに，排出機構が複雑となり，複数枚の磁気記録媒体に対する短時間での磁気転写が困難となる。
【００１３】
したがって，かかる従来技術における問題に鑑みて，本発明の目的は，より小型の，磁気記録媒体である磁気記録媒体に対するマスター情報パターンの磁気転写の効率化を可能とする磁気ディスクの製造方法及び，磁気パターン複製装置を提供することにある。
【課題を解決するための手段】
【００１４】
上記の課題を達成する本発明の第１の側面は，磁気記録可能なディスク状の磁気記録媒体に，情報に対応する磁気パターンが形成されたマスター情報担体を接近させ，前記磁気パターンを前記磁気記録媒体に複製する工程を有してなる磁気ディスクの製造方法において，マスター情報担体の一面側に，前記マスター情報担体の径より小径のディスク状の磁気記録媒体に記録すべき情報に対応する磁気パターンを複数個形成し，前記マスター情報担体の一面側に形成された複数個の磁気パターンのそれぞれに前記磁気記録媒体を密着載置し，前記複数の磁気パターンに対応してそれぞれに直流磁界を印加して，前記マスター情報担体に形成された複数の磁気パターンを，それぞれ前記磁気パターンに対応して密着載置された前記ディスク状磁気記録媒体に転写することを特徴とする。
【００１５】
前記第１の側面において，前記マスター情報担体に形成された複数個の磁気パターンのそれぞれに前記磁気記録媒体を密着載置する際に，前記複数個の磁気パターンが形成されたマスター情報担体を第１のマスター情報担体とし，一つ分の磁気記録媒体に対応する磁気パターンを有する第２のマスター情報担体を前記第１のマスター情報担体に密着載置された磁気記録媒体の前記第１のマスター情報担体と反対側から密着させて，直流磁界を印加して，前記磁気記録媒体の両面に前記磁気パターンを転写することを特徴とする。
【００１６】
上記の課題を達成する本発明の第２の側面は，情報を磁気記録可能なディスク状の磁気記録媒体に，情報に対応する磁気パターンが形成されたマスター情報担体を接近させ，前記磁気パターンを前記磁気記録媒体に複製する工程を有してなる磁気ディスクの製造方法において，第１及び第２のマスター情報担体のそれぞれの一面側に，前記マスター情報担体の径より小径のディスク状の磁気記録媒体に記録すべき情報に対応する磁気パターンを複数個形成し，前記第１及び第２のマスター情報担体に形成された複数の磁気パターンのそれぞれに対応して複数の磁気記録媒体を位置づけた状態で，前記第１及び第２のマスター情報担体により前記複数の磁気記録媒体をサンドイッチ状に密着載置し，更に前記第１及び第２のマスター情報担体の他面側から直流磁界を印加して前記第１及び第２のマスター情報担体に形成された複数の磁気パターンを前記複数の磁気記録媒体のそれぞれの両面に転写することを特徴とする。
【００１７】
上記の課題を達成する本発明の第３の側面は，磁気記録可能なディスク状の磁気記録媒体に，情報に対応する磁気パターンが形成されたマスター情報担体を接近させ，前記磁気パターンを前記磁気記録媒体に複製する磁気パターン複製装置であって，磁気記録媒体に記録されるべき情報に対応する磁気パターンが，一面側に所定角度間隔で複数個形成された，前記磁気記録媒体の径より大きい径を有するマスター情報担体と，前記マスター情報担体に，前記一面側に複数個形成されたそれぞれの磁気パターンに対して直流磁界を付与する磁界発生部と，前記マスター情報担体に形成された前記情報に対応する，複数の磁気パターンのそれぞれに前記磁気記録媒体を密着載置する機構とを有し，それぞれに直流磁界を印加して前記主マスター基板上に形成された複数のマスター情報パターンを対応して密着載置された磁気記録媒体に転写することを特徴とする。
【００１８】
上記第３の側面において，前記複数の磁気パターンのそれぞれに前記磁気記録媒体を密着載置する機構として，前記複数個の磁気パターンが形成されたマスター情報担体を第１のマスター情報担体とし，一つ分の磁気記録媒体に対応する磁気パターンを有する第２のマスター情報担体と，前記直流磁界を付与する磁界発生部を備えたヘッド部と前記ヘッド部を移動制御する制御部を有し，前記制御部により，前記磁気記録媒体を前記第２のマスター情報担体に対応づけて保持して前記第１のマスター情報担体の磁気パターン位置に移動制御することを特徴とする。
【００１９】
さらに，上記第３の側面において，前記第２のマスター情報担体は，複数の吸引穴を有し，前記複数の吸引穴を通して前記磁気記録媒体を吸引保持する用に構成されていることを特徴とする。
【００２０】
また，上記第３の側面において，前記第１及び第２のマスター情報担体に形成される複数の磁気パターンは，前記ディスク状の磁気記録媒体に対応して環状に所定角度間隔に配置され，隣接する磁気パターンが，それぞれポジパターンとネガパターンで形成され，且つ前記直流磁界を付与する磁界発生部は，複数個の単体マグネットを前記ディスク状の磁気記録媒体に対応して環状に並べて構成され，前記環状に並べられた複数個の単体マグネットのそれぞれは，前記磁気パターンのそれぞれに対応して位置づけられ，且つ隣り合う単体マグネットの磁極の向きが反対となるように構成されていることを特徴とする。
【００２１】
上記磁気パターン複製装置において，直流磁界を付与する磁界発生部は，前記第１及び第２のマスター情報担体に形成される複数の磁気パターンの対応する位置で，前記第１及び第２のマスター情報担体と密接して配置される基板に埋め込まれていることを特徴とする。
【００２２】
さらに，上記第１〜第３の側面において，前記磁気パターンが対応する情報は，ハードディスク装置における磁気ヘッドの位置決めに用いるサーボ情報であることを特徴とする。
【発明の効果】
【００２３】
本発明により，マスター情報担体の作成が容易であり，且つ高密度化，小型化された小径磁気記録媒体に適した磁気パターン複製装置が提供される。
【発明を実施するための最良の形態】
【００２４】
以下に，図面に従い，本発明の実施の形態例を説明する。なお，実施の形態例は，本発明の理解のためのものであり，本発明の技術的範囲がこれに限定されるものではない。
【００２５】
図５は，本発明に従うマスター情報担体１０の一例の平面を示す図である。
【００２６】
たとえば８インチ径の，シリコン基板，ガラス基板，プラスチック基板，あるいはＡｌ等の金属基板１０に１インチ径の小型ディスクに対応する小径ディスク用マスター情報パターン２に対応する磁気パターンが形成されている。
【００２７】
図６は，かかる磁性体部分の形成を説明する図であり，マスター情報担体１０の一個の小径ディスクに対応してパターンニングされたトラック方向の一部断面を示す図である。
【００２８】
マスター情報担体１０として，図５に示すように，例えば８インチ径のシリコン基板を用いる。従来の適宜の方法，例えば，スパッタリング，真空蒸着法，ＣＶＤ法等によりシリコン基板１０Ａ上に強磁性体膜１０Ｂを形成する。
【００２９】
ついで，強磁性体膜１０Ｂに対して，複数の小径ディスク用マスター情報パターン２に対応するように強磁性体部分１０Ｂが半導体プロセス等において用いられる微細加工例えば，リソグラフィ法により，凹凸パターンとして形成される。
【００３０】
また，別の方法として，先にシリコン基板１０Ａにマスター情報パターン２に対応する凹凸をエッチング等の半導体プロセスにより形成し，その上に強磁性体膜を形成するようにしてもよい。
【００３１】
このようにして，マスター情報パターン２に対応する凹凸パターンの磁性体部分１０Ｂを有する本発明に従うマスター情報担体１０が得られる。
【００３２】
このマスター情報担体１０は，先に説明した従来例に対して，大きな主マスター基板であるマスター情報担体１０上に小径ディスク用マスター情報パターン２が複数配置されていることを特徴とする。
【００３３】
かかる本発明に従うマスター情報担体１０を用いて，小径ディスク用マスター情報パターン２を複製転写する方法として，マスター情報担体１０の複数の小径ディスク用マスター情報パターン２の位置に対応して複数の小径ディスク（磁気記録媒体）を密着配置し，先に図３，図４において説明したように，マスター情報担体１０の裏面側から励磁用直流磁界を印加することにより，一度に多数枚（図５に示す例では，２１枚）の小径ディスクにマスター情報パターン２の磁気転写を行うことが可能である。
【００３４】
さらに，小径ディスクの両面にマスター情報パターン２を磁気転写する場合は，マスター情報担体１０の複数の小径ディスク用マスター情報パターン２の位置に対応して密着配置される複数の小径ディスクを同様のマスター情報担体１０によりサンドイッチ状態にして，上下面から励磁用磁界を与えることにより可能である。
【００３５】
しかし，かかる方法に対応する磁気転写機構を想定すると，一つのマスター情報担体１０に複数の小径ディスクを配置するハンドリング機構，更に，上側を別のマスター情報担体１０で覆うためのマスター情報担体１０のハンドリング機構及び，上下のマスター情報担体１０の外側から励磁用磁界を与えるためのマグネット機構が必要である。
【００３６】
かかる点から磁気パターン複製装置として複雑な機構が必要となる。さらに，複数の小径ディスクをマスター情報担体１０に配置する工程時間及び，更に，別のマスター情報担体１０で配置された小径ディスクを覆うための工程時間が必須である。
【００３７】
したがって，装置の機構の複雑化と共に，磁気パターンの複製に要する時間も，マスター情報担体１０に配置される小径ディスクの数が多くなるほどに長くなるということが予想される。
【００３８】
したがって，本発明の好ましい実施例として，マスター情報担体１０に小径ディスクを配置させるハンドリング機構部に，小径ディスクの上面側に対するマスター情報パターンと，磁気パターンの複製を行うために必要な励磁機構を組み込むことにより，かかる予想される不都合を解消することができる。
【００３９】
図７は，かかる本発明の原理に基づく，実施の形態例概略図である。
【００４０】
図７において，マスター情報担体１０には，図５において説明したように小径ディスクに対応する複数のマスター情報パターン２が形成されている。
【００４１】
一方，ハンドリング機構３０は，ヘッド部３１を有している。適宜の位置制御機構により，ハンドリング機構３０を介してそのヘッド部３１を，マスター情報担体１０の所定の位置，即ち小径ディスクに対応する複数のマスター情報パターン２が形成されているそれぞれの位置に，制御部３２により移動制御することが可能である。
【００４２】
図８は，ハンドリング機構３０のヘッダ部３１が，マスター情報担体１０の小径ディスクに対応する複数のマスター情報パターン２の一つに位置づけられている状態の断面図を示している。
【００４３】
ここで，主マスタ基板部１００として，マスター情報担体１０とその下側にパターン複製磁界発生部１１ａが埋め込まれた層を有している。
【００４４】
マスター情報担体１０に形成された一つの小径ディスクに対応するマスター情報パターン２に対応して，その下側にパターン複製磁界発生部１１ａが埋め込まれている。
【００４５】
一方，ハンドリング機構３０のヘッダ部３１には，一つの小径ディスクに対応するマスター情報担体２１と，その上側に対応するパターン複製磁界発生部１１ｂが内蔵されている。
【００４６】
マスター情報パターン２の転写時には，マスター情報担体１０上に磁気記録媒体である小径ディスク２０が密着載置される。さらに，小径ディスク２０の上面側に管状のハンドリング機構３０のヘッダ部３１が密着して位置づけられた状態とされる。
【００４７】
これにより，小径ディスク２０の下面側は，パターン複製磁界発生部１１ａによって磁界が与えられ，マスター情報担体１０に形成されている小径ディスク用マスター情報パターン２が小径ディスク２０の下面側に転写される。
【００４８】
同時に，小径ディスク２０の上面側は，ハンドリング機構３０のヘッダ部３１内のパターン複製磁界発生部１１ｂによって磁界が与えられ，マスター情報担体２１に形成されているマスター情報パターン２が小径ディスク２０の上面側に転写される。
【００４９】
ここで，ハンドリング機構３０のヘッダ部３１による小径ディスクのマスター情報担体１０上のマスター情報パターン２に位置づける作用について説明する。
【００５０】
ハンドリング機構３０のヘッダ部３１に内蔵されるマスター情報担体２１の平面形状は，図９に示すごとくであり，小径ディスク２０の径に対応して約１インチの径をなし，その中心円周部Ａ及び，外周部Ｂにあるそれぞれ約１ｍｍ幅に，同心円上に複数の吸引穴２３が形成されている。
【００５１】
この複数の吸引穴２３に管状のハンドリング機構３０を通して点線矢印方向（図８参照）の吸引力が与えられる。さらに，中心円周部Ａと外周部Ｂの間にあり，小径ディスク２０の記録領域に対応する領域２２には，図１に説明したように，所定角度毎にトラッキングに必要となるマスター情報パターン２に対応する磁気パターン２２が形成されている。
【００５２】
このマスター情報パターン２に対応する磁気パターン２２の形成は，先に図６によりマスター情報担体１０について説明したと同様である。
【００５３】
かかる構成により，小径ディスク２０の両面にマスター情報パターン２を磁気転写する際の動きを以下に説明する。
【００５４】
制御部３２により，ハンドリング機構３０を介してそのヘッド部３１が，図示しない磁気記録媒体である小径ディスク２０のストック位置に向けられるように移動制御される。小径ディスク２０のストック位置で，マスター情報担体２１の吸引穴２３を通して吸引圧が与えられると，ストックされた小径ディスク２０の一枚が吸引され，ヘッド部３１に保持される（ステップＳ１）。
【００５５】
ついで，ヘッド部３１が，小径ディスク２０を吸引したまま，マスター情報担体１０上の個々の小径ディスク用マスター情報パターン２の位置に置かれる（ステップＳ２）。
【００５６】
マスター情報担体１０上のマスター情報パターン２の位置に載置された後，先に説明したように小径ディスクは，マスター情報担体１０及びマスター情報担体２１に密着され，マスター情報パターン２が転写される（ステップＳ３）。
【００５７】
図１０は，マスター情報担体１０及び２１の背面に複写時に励磁界を与えるための複製磁界発生部１１ａ及び複製磁界発生部１１ｂの実施例構造を示す図である。参照番号をマスター情報担体２１の背面に配置される複製磁界発生部１１ｂを例にして説明する。
【００５８】
複製磁界発生部１１ｂは，中心部Ａ，及び外周部Ｂを除く領域にドーナッツ状に形成されたマグネットで構成される。このドーナッツ状のマグネットはマスター情報パターン２２の位置に対応して複数に分割され，隣り合うマグネット磁極の極性が同じとなるように形成されている。
【００５９】
この様子は，図１１に示す図１０におけるＡ−Ａ‘線に沿う断面図から容易に理解できる。
【００６０】
Ａ−Ａ‘線に沿う断面部分にある３つのマグネットＭＩ，ＭII及びＭIIIは，励磁磁界ＡＭＤの方向が隣り合う同士で反対方向とされている。
【００６１】
この理由は，小径ディスクに対し励磁用マグネットを配置する場合，十分な間隔を有して配置できないために，異極同士が隣接することになり，その場合は，それぞれのマスター情報パターン２２の位置に対して磁気回路が形成できなくなるからである。
【００６２】
このために，図１１に示すように，マスター情報担体２１に形成される隣接するマスター情報パターン２２Ｉ，２２II，２２IIIの論理を，交互にポジティブパターンＰＰとネガティブパターンＮＰとなるように形成することが必要である。
【００６３】
図１２は，更に別の複製磁界発生部１１ａ及び複製磁界発生部１１ｂの実施例構成であり，マスター情報担体１０，２１に対し垂直磁界を与える例であり，この場合も隣接するマグネットＭＩ，ＭIIは，それらにおける磁界方向が逆向きとなるように設定されている。そして，この場合も，マスター情報担体１０，２１に形成されるマスター情報パターン２，２２の論理は，隣接するマスター情報位置２２Ｉ，２２II及び，２２IIIで交互にポジティブパターンＰＰとネガティブパターンＮＰとなるように形成される。
【００６４】
上記の図１０乃至図１２により説明した複製磁界発生部１１ａ及び複製磁界発生部１１ｂの例では，マグネットを回転することを要しないので，静的な磁界発生部を構成することができる。
【００６５】
なお，上記で複製磁界発生部１１ａ及び複製磁界発生部１１ｂとしてマグネットを用いる例を説明したが，当然にマグネットに代え，電磁石により構成することも可能である。
【００６６】
（付記１）
磁気記録可能なディスク状の磁気記録媒体に，情報に対応する磁気パターンが形成されたマスター情報担体を接近させ，前記磁気パターンを前記磁気記録媒体に複製する工程を有してなる磁気ディスクの製造方法において，
マスター情報担体の一面側に，前記マスター情報担体の径より小径のディスク状の磁気記録媒体に記録すべき情報に対応する磁気パターンを複数個形成し，
前記マスター情報担体の一面側に形成された複数個の磁気パターンのそれぞれに前記磁気記録媒体を密着載置し，
前記複数の磁気パターンに対応してそれぞれに直流磁界を印加して，前記マスター情報担体に形成された複数の磁気パターンを，それぞれ前記磁気パターンに対応して密着載置された前記ディスク状磁気記録媒体に転写する，
ことを特徴とする磁気パターン複製方法。
【００６７】
（付記２）
付記１において，
前記マスター情報担体に形成された複数個の磁気パターンのそれぞれに前記磁気記録媒体を密着載置する際に，
前記複数個の磁気パターンが形成されたマスター情報担体を第１のマスター情報担体とし，
一つ分の磁気記録媒体に対応する磁気パターンを有する第２のマスター情報担体を前記第１のマスター情報担体に密着載置された磁気記録媒体の前記第１のマスター情報担体と反対側から密着させて，直流磁界を印加して，前記磁気記録媒体の両面に前記磁気パターンを転写する，
ことを特徴とする磁気パターン複製方法。
【００６８】
（付記３）
情報を磁気記録可能なディスク状の磁気記録媒体に，情報に対応する磁気パターンが形成されたマスター情報担体を接近させ，前記磁気パターンを前記磁気記録媒体に複製する工程を有してなる磁気ディスクの製造方法において，
第１及び第２のマスター情報担体のそれぞれの一面側に，前記マスター情報担体の径より小径のディスク状の磁気記録媒体に記録すべき情報に対応する磁気パターンを複数個形成し，
前記第１及び第２のマスター情報担体に形成された複数の磁気パターンのそれぞれに対応して複数の磁気記録媒体を位置づけた状態で，前記第１及び第２のマスター情報担体により前記複数の磁気記録媒体をサンドイッチ状に密着載置し，更に
前記第１及び第２のマスター情報担体の他面側から直流磁界を印加して前記第１及び第２のマスター情報担体に形成された複数の磁気パターンを前記複数の磁気記録媒体のそれぞれの両面に転写する，
ことを特徴とする磁気パターン複製方法。
【００６９】
（付記４）
付記１乃至３のいずれかにおいて，
前記磁気パターンが対応する情報は，ハードディスク装置における磁気ヘッドの位置決めに用いるサーボ情報であることを特徴とする磁気パターン複製方法。
【００７０】
（付記５）
磁気記録可能なディスク状の磁気記録媒体に，情報に対応する磁気パターンが形成されたマスター情報担体を接近させ，前記磁気パターンを前記磁気記録媒体に複製する磁気パターン複製装置であって，
磁気記録媒体に記録されるべき情報に対応する磁気パターンが，一面側に所定角度間隔で複数個形成された，前記磁気記録媒体の径より大きい径を有するマスター情報担体と，
前記マスター情報担体に，前記一面側に複数個形成されたそれぞれの磁気パターンに対して直流磁界を付与する磁界発生部と，
前記マスター情報担体に形成された前記情報に対応する，複数の磁気パターンのそれぞれに前記磁気記録媒体を密着載置する機構とを有し，
それぞれに直流磁界を印加して前記主マスター基板上に形成された複数のマスター情報パターンを対応して密着載置された磁気記録媒体に転写する，
ことを特徴とする磁気パターン複製装置。
【００７１】
（付記６）
付記５において，
前記複数の磁気パターンのそれぞれに前記磁気記録媒体を密着載置する機構として，
前記複数個の磁気パターンが形成されたマスター情報担体を第１のマスター情報担体とし，一つ分の磁気記録媒体に対応する磁気パターンを有する第２のマスター情報担体と，前記直流磁界を付与する磁界発生部を備えたヘッド部と
前記ヘッド部を移動制御する制御部を有し，
前記制御部により，前記磁気記録媒体を前記第２のマスター情報担体に対応づけて保持して前記第１のマスター情報担体の磁気パターン位置に移動制御する
ことを特徴とする磁気パターン複製装置。
【００７２】
（付記７）
付記６において，
前記第２のマスター情報担体は，複数の吸引穴を有し，前記複数の吸引穴を通して前記磁気記録媒体を吸引保持する用に構成されている
ことを特徴とする磁気パターン複製装置。
【００７３】
（付記８）
付記５又は６において，
前記第１及び第２のマスター情報担体に形成される複数の磁気パターンは，前記ディスク状の磁気記録媒体に対応して環状に所定角度間隔に配置され，隣接する磁気パターンが，それぞれポジパターンとネガパターンで形成され，且つ
前記直流磁界を付与する磁界発生部は，複数個の単体マグネットを前記ディスク状の磁気記録媒体に対応して環状に並べて構成され，
前記環状に並べられた複数個の単体マグネットのそれぞれは，前記磁気パターンのそれぞれに対応して位置づけられ，且つ隣り合う単体マグネットの磁極の向きが反対となる
ように構成されていることを特徴とする磁気パターン複製装置。
【００７４】
（付記９）
付記５又は６において，
直流磁界を付与する磁界発生部は，前記第１及び第２のマスター情報担体に形成される複数の磁気パターンの対応する位置で，前記第１及び第２のマスター情報担体と密接して配置される基板に埋め込まれている
ことを特徴とする磁気パターン複製装置。
【００７５】
（付記１０）
付記５乃至９のいずれかにおいて，
前記磁気パターンが対応する情報は，ハードディスク装置における磁気ヘッドの位置決めに用いるサーボ情報であることを特徴とする磁気パターン複製装置。
【図面の簡単な説明】
【００７６】
【図１】磁気記録媒体装置における一枚の磁気記録媒体の平面を模式的に示す図である。
【図２】マスター情報パターンの一例を示す図である。
【図３】特許文献１，２に開示される従来の磁気パターンを複製する方法を用いる磁気パターン複製装置の概念斜視図である。
【図４】図３におけるＡ−Ａ‘線に沿う断面概念図である。
【図５】本発明に従うマスター情報担体の一例の平面を示す図である。
【図６】小径ディスク用マスター情報パターンに対応する磁気パターンの磁性体部分を示す図である。
【図７】本発明の原理に基づく，実施の形態例概略図である。
【図８】ハンドリング機構のヘッダ部が，マスター情報担体の小径ディスクに対応する複数のマスター情報パターンの一つに位置づけられている状態の断面図である。
【図９】ハンドリング機構のヘッダ部に内蔵されるマスター情報担体の平面形状を示す図である。
【図１０】マスター情報担体の背面に複写時に励磁界を与えるための複製磁界発生部の実施例構造を示す図である。
【図１１】図１０におけるＡ−Ａ‘線に沿う断面図を示す図である。
【図１２】更に別の複製磁界発生部の実施例構成を示す図である。
【符号の説明】
【００７７】
１    磁気記録媒体（磁気ディスク）
２    マスター情報パターン
１０    マスター情報担体
１０Ａ  シリコン基板
１０Ｂ  強磁性体膜  
１１  マグネット
２０  小径ディスク
３０  ハンドリング機構３  
３１  ヘッド部
３２  制御部
１１ａ，１１ｂ  パターン複製磁界発生部１１ａ
【図１】
2007250106.tif 000003
【図２】
2007250106.tif 000004
【図３】
2007250106.tif 000005
【図４】
2007250106.tif 000006
【図５】
2007250106.tif 000007
【図６】
2007250106.tif 000008
【図７】
2007250106.tif 000009
【図８】
2007250106.tif 000010
【図９】
2007250106.tif 000011
【図１０】
2007250106.tif 000012
【図１１】
2007250106.tif 000013
【図１２】
2007250106.tif 000014